(57)【要約】【課題】ＴＰＣ（Ｔｒａｎｓｍｉｓｓｉｏｎ  Ｐｏｗｅｒ  Ｃｏｎｔｒｏｌ）の精度を向上させる。【解決手段】移動局１０において、ＲＦ受信部１１が、他の通信装置から送信された信号を受信する。受信品質検出部１２が、受信信号に基づいて、受信品質を検出する。受信処理部１３が、受信信号から、ＴＰＣ値を抽出する。送信電力制御部１４が、検出された受信品質に基づいて、抽出されたＴＰＣ値を補正する。送信電力制御部１４は、変換条件が満たされたときに、ＴＰＣ値を補正する。例えば、変換条件には、検出された受信品質の第１変動方向と、ＴＰＣ値の表す送信電力の第２変動方向とが逆である条件が含まれる。【選択図】図１
2014027420.tif 000002
【特許請求の範囲】
【請求項１】
他の通信装置から送信された信号を受信する受信部と、
前記受信された信号に基づいて、受信品質を検出する検出部と、
前記受信された信号から、自装置の送信電力を制御する制御値を抽出する抽出部と、
前記検出された受信品質に基づいて、前記抽出された制御値を補正する補正部と、
を具備することを特徴とする通信装置。
【請求項２】
前記補正部は、補正条件が満たされたときに、前記制御値を補正し、
前記補正条件は、前記検出された受信品質の第１変動方向と、前記抽出された制御値の表す送信電力の第２変動方向とが逆である、第１条件を含む、
ことを特徴とする請求項１に記載の通信装置。
【請求項３】
前記補正条件は、前記第１条件の他に、前記抽出された制御値による制御の前の送信電力値が上限値である第２条件を含む、
ことを特徴とする請求項２に記載の通信装置。
【請求項４】
他の通信装置から送信された信号を受信し、
前記受信された信号に基づいて、受信品質を検出し、
前記受信された信号から、自装置の送信電力を制御する制御値を抽出し、
前記検出された受信品質に基づいて、前記抽出された制御値を補正する、
ことを特徴とする送信電力制御方法。
【発明の詳細な説明】
【技術分野】
【０００１】
本発明は、通信装置及び送信電力制御方法に関する。
【背景技術】
【０００２】
従来、移動局と基地局との間の無線通信において、移動局から基地局へのデータ送信に必要な電力を制御する技術として、ＴＰＣ（Ｔｒａｎｓｍｉｓｓｉｏｎ  Ｐｏｗｅｒ  Ｃｏｎｔｒｏｌ）がある。
【０００３】
ＴＰＣでは、まず、基地局が、移動局からデータを受信し、その受信レベルを検出する。基地局は、検出された受信レベルに応じたＴＰＣ値を移動局へ送信する。具体的には、基地局は、検出された受信レベルが所定値以下である場合、電力アップを指示するＴＰＣ値を送信する。反対に、検出された受信レベルが所定値より高い場合、基地局は、電力ダウンを指示するＴＰＣ値を送信する。ＴＰＣ値は、フレーム毎に送信される。すなわち、ＴＰＣは、フレーム単位で実行される。このようなＴＰＣによって、基地局における受信レベルが適切な範囲に制御され得る。
【先行技術文献】
【特許文献】
【０００４】
【特許文献１】特開２００８−１７００９号公報
【発明の概要】
【発明が解決しようとする課題】
【０００５】
しかしながら、ＴＰＣ値による指示内容が、実際の伝搬環境の状況を正確に反映できていないことがある。例えば、実際の伝搬環境が良好であるにも関わらず、電力アップの指示が為される場合、送信側の装置において過剰な電力が消費されることになる。反対に、実際の伝搬環境が不良であるにも関わらず、電力ダウンの指示が為される場合、送信されたデータが受信されない、又は、受信されても誤りが多い状況が起こりうる。この状況では、同じデータが繰り返し送信されることになるので、送信側及び受信側の両方で電力消費が増加する他、データ送信に用いられるリソースも無駄に消費されることになる。
【０００６】
開示の技術は、上記に鑑みてなされたものであって、ＴＰＣの精度を向上させる、通信装置及び送信電力制御方法を提供することを目的とする。
【課題を解決するための手段】
【０００７】
開示の態様では、他の通信装置から送信された信号を受信する受信部と、前記受信された信号に基づいて、受信品質を検出する検出部と、前記受信された信号から、自装置の送信電力を制御する制御値を抽出する抽出部と、前記検出された受信品質に基づいて、前記抽出された制御値を補正する補正部と、を具備する。
【発明の効果】
【０００８】
開示の態様によれば、ＴＰＣの精度を向上させることができる。
【図面の簡単な説明】
【０００９】
【図１】図１は、実施例１の移動局の一例を示すブロック図である。
【図２】図２は、実施例１の送信電力制御部の構成の一例を示すブロック図である。
【図３】図３は、実施例１のＴＰＣ変換部及び送信電力算出部の構成の一例を示すブロック図である。
【図４】図４は、実施例１の基地局の一例を示すブロック図である。
【図５】図５は、実施例１の移動局による送信電力制御処理を説明するためのタイミングチャートの前半部分を示す図である。
【図６】図６は、実施例１の移動局による送信電力制御処理を説明するためのタイミングチャートの後半部分を示す図である。
【図７】図７は、移動局のハードウェア構成を示す図である。
【図８】図８は、基地局のハードウェア構成を示す図である。
【発明を実施するための形態】
【００１０】
以下に、本願の開示する通信装置及び送信電力制御方法の実施形態を図面に基づいて詳細に説明する。なお、この実施形態により本願の開示する通信装置及び送信電力制御方法が限定されるものではない。また、実施形態において同一の機能を有する構成には同一の符号を付し、重複する説明は省略される。
【００１１】
［実施例１］
［移動局の構成］
図１は、実施例１の移動局の一例を示すブロック図である。図１において、移動局１０は、ＲＦ受信部１１と、受信品質検出部１２と、受信処理部１３と、送信電力制御部１４と、送信処理部１５と、ＲＦ送信部１６とを有する。
【００１２】
ＲＦ受信部１１は、後述する基地局５０から送信された無線信号をアンテナを介して受信し、当該無線信号に対して受信無線処理（ダウンコンバート、アナログディジタル（Ａ／Ｄ）変換など）を施す。こうして得られた受信信号は、受信品質検出部１２へ出力される。
【００１３】
受信品質検出部１２は、ＲＦ受信部１１から受け取る受信信号に基づいて、受信品質を検出する。具体的には、受信品質検出部１２は、受信信号から受信電力を受信品質として検出する。検出された受信品質に関する情報（以下では、「受信品質情報」と呼ばれることがある）、つまり、ここでは受信電力に関する情報（以下では、「受信電力情報」と呼ばれることがある）は、送信電力制御部１４へ出力される。また、受信品質検出部１２は、ＲＦ受信部１１から受け取る受信信号を受信処理部１３へ出力する。
【００１４】
受信処理部１３は、ＲＦ受信部１１で得られた受信信号を復調及び復号し、得られた受信データの内、ＴＰＣ値を送信電力制御部１４へ出力し、ＴＰＣ値以外の受信データを後段の機能部へ出力する。すなわち、受信処理部１３は、ＲＦ受信部１１で得られた受信信号から、ＴＰＣ値を抽出し、送信電力制御部１４へ出力する。
【００１５】
送信電力制御部１４は、受信品質情報及びＴＰＣ値を入力信号とし、「変換条件」を満たす場合、ＴＰＣ値を変換する。そして、送信電力制御部１４は、変換条件が満たされた場合には、変換されたＴＰＣ値に基づいて送信電力値を算出し、変換条件が満たされなかった場合には、変換されていないＴＰＣ値に基づいて送信電力値を算出する。算出された送信電力値は、ＲＦ送信部１６へ出力される。これにより、送信電力制御部１４によって送信電力値がＲＦ送信部１６に設定される。
【００１６】
図２は、送信電力制御部１４の構成の一例を示すブロック図である。図２において、送信電力制御部１４は、ＴＰＣ変換部２１と、送信電力算出部２２とを有する。
【００１７】
ＴＰＣ変換部２１は、受信品質情報及びＴＰＣ値を入力信号とし、「変換条件」を満たす場合、ＴＰＣ値を変換する。
【００１８】
変換条件として、具体的には、以下の条件を設定し得る。
（条件１）変換対象フレームにおいて、受信品質の変動方向（以下では、「第１変動方向」と呼ばれることがある）と、ＴＰＣ値の表す送信電力の変動方向（以下では、「第２変動方向」と呼ばれることがある）とが異なる、つまり、逆であること。
（条件２）「差異判定対象期間」内であること。
（条件３）変換対象フレームにおいて第１変動方向と第２変動方向とが逆であり、且つ、変換対象フレームまでに同種の逆状態が「変換開始回数」以上連続すること。すなわち、変換対象フレームにおいて第１変動方向と第２変動方向とが逆であり、且つ、変換対象フレームの１つ前のフレームまで連続した「変換開始回数」分のフレーム（以下では、「連続判定フレーム」と呼ばれることがある）において同種の逆状態が続くこと。
（条件４）変換対象フレームの１つ前のフレームにおいて、送信電力値が「送信電力上限値」と等しいこと。
【００１９】
変換条件としては、（条件１）のみを採用してもよいし、（条件１）と、（条件２）、（条件３）若しくは（条件４）との組合せ、又は、（条件１）〜（条件４）のすべてを採用してもよい。以下では、（条件１）〜（条件４）のすべてが採用される場合を前提に説明する。
【００２０】
また、ＴＰＣ変換部２１は、送信電力算出部２２から出力される送信電力値を入力信号とし、送信電力値が「リセット電力値」以上であるフレームを差異判定対象期間を構成するフレームとする。
【００２１】
また、ＴＰＣ変換部２１は、「変換可能期間」において、ＴＰＣ値を変換する。「変換可能期間」は、上記した変換条件が満たされてから、同じ種類の変換命令が差異判定部３４から出力された回数が「変換対象フレームの設定数」に到達するまでの期間である。
【００２２】
送信電力算出部２２は、ＴＰＣ変換部２１から受け取るＴＰＣ値に基づいて、送信電力値を算出し、ＲＦ送信部１６へ出力する。
【００２３】
図３は、ＴＰＣ変換部２１及び送信電力算出部２２の構成の一例を示すブロック図である。
【００２４】
図３において、ＴＰＣ変換部２１は、ＴＰＣ調整部３１と、リセット判定部３２と、品質変動判定部３３と、差異判定部３４と、回数制御部３５とを有する。
【００２５】
ＴＰＣ調整部３１は、変換可能期間において差異判定部３４から受け取る「変換命令」に基づいて、入力されたＴＰＣ値を調整する。
【００２６】
具体的には、差異判定部３４から、ダウンへの読み替えを命令する「ダウン変換命令」を受け取り、且つ、入力されたＴＰＣ値がアップを指示する場合、ＴＰＣ調整部３１は、入力されたＴＰＣ値を、ダウンを指示するＴＰＣ値に変換、つまり補正する。一方、差異判定部３４から、ダウン変換命令を受け取り、且つ、入力されたＴＰＣ値がダウンを指示する場合、矛盾が生じていないので、ＴＰＣ調整部３１は、変換処理を実行せずに、入力されたＴＰＣ値をそのまま、送信電力算出部２２へ出力する。すなわち、ＴＰＣ調整部３１は、ダウン変換命令を受け取った場合、ＴＰＣ値の内容に関わらず、ダウンを示すＴＰＣ値とする。
【００２７】
また、差異判定部３４から、アップへの読み替えを命令する「アップ変換命令」を受け取り、且つ、入力されたＴＰＣ値がダウンを指示する場合、ＴＰＣ調整部３１は、入力されたＴＰＣ値を、アップを指示するＴＰＣ値に変換する。一方、差異判定部３４から、アップ変換命令を受け取り、且つ、入力されたＴＰＣ値がアップを指示する場合、矛盾が生じていないので、ＴＰＣ調整部３１は、変換処理を実行せずに、入力されたＴＰＣ値をそのまま、送信電力算出部２２へ出力する。
【００２８】
リセット判定部３２は、事前に設定されている「リセット電力値」と、フレーム単位で入力される送信電力値とを比較し、その結果、送信電力値がリセット電力値を超過した場合、差異判定部３４に対し、その旨の通知を行う。同様に、リセット判定部３２は、送信電力値がリセット電力値以下となったことを契機として、差異判定部３４に対し、その旨の通知を行う。そして、送信電力値がリセット電力値を超過している期間が、上記した差異判定対象期間である。
【００２９】
品質変動判定部３３は、受信品質情報を入力信号とし、受信品質情報に基づいて、上記した第１変動方向を判定する。この判定は、フレーム毎に行われる。具体的には、品質変動判定部３３は、変動判定対象フレームにおいて、当該変動判定対象フレームの受信品質が１つ前のフレームの受信品質に比べてアップしているかダウンしているかを判定する。そして、品質変動判定部３３は、アップしていると判定された場合、「アップ通知」を差異判定部３４へ出力し、ダウンしていると判定された場合、「ダウン通知」を差異判定部３４へ出力する。
【００３０】
差異判定部３４は、上記した第１変動方向と第２変動方向とが異なっているか、つまり逆であるか否か、及び、逆である場合に「逆状態種別」を判定する。また、差異判定部３４は、種別の同じ逆状態が連続するフレームの数をカウントする。また、差異判定部３４は、送信電力値が送信電力上限値以上であるときに、送信電力算出部２２から「上限値到達通知」を受け取る。
【００３１】
そして、差異判定部３４は、上記した変換条件を満たしているか否かを判定し、条件を満たしたときに、逆状態種別に応じた変換命令と、「変換可能期間の開始通知」とをＴＰＣ調整部３１及び回数制御部３５へ出力する。具体的には、差異判定部３４は、「第１種逆状態」の場合、ダウン変換命令をＴＰＣ調整部３１及び回数制御部３５へ出力する。第１種逆状態とは、第１変動方向がダウンであり、且つ、ＴＰＣ値がアップを示す、つまり第２変動方向がアップである状態である。また、差異判定部３４は、「第２種逆状態」の場合、アップ変換命令をＴＰＣ調整部３１及び回数制御部３５へ出力する。第２種逆状態とは、第１変動方向がアップであり、且つ、ＴＰＣ値がダウンを示す、つまり第２変動方向がダウンである状態である。
【００３２】
回数制御部３５は、変換可能期間の開始通知を受け取ってから、その通知と一緒に出力されたものと同種の変換命令が出力された回数をカウントし、カウント値が変換対象フレームの設定数に到達すると、「フレーム数の満了通知」を差異判定部３４へ出力する。これにより、１つの変換可能期間が終了する。なお、カウント値が変換対象フレームに到達する前に、変換条件が再度満たされた場合にも、それまでの変換可能期間が途中で終了し、新たな変換可能期間が開始してもよい。
【００３３】
また、図３において、送信電力算出部２２は、電力値変換部４１と、算出部４２，４３とを有する。
【００３４】
電力値変換部４１は、アップ又はダウンを指示するＴＰＣ値を、後述する基地局５０から受信すると、受信されたＴＰＣ値を、アップ又はダウンの幅を表す値（ｄＢ値）に変換する。そして、電力値変換部４１は、ＴＰＣ値の変換結果であるｄＢ値を、算出部４２へ出力する。
【００３５】
算出部４２は、電力値変換部４１からのｄＢ値と、算出部４２の出力とを入力信号とし、当該出力に対するＴＰＣ値の加算又は減算を行う。この算出処理は、フレーム単位で実行され、算出結果は、算出部４３に出力される。
【００３６】
算出部４３は、送信電力の初期値と算出部４２による算出結果とを入力信号とし、当該初期値と当該算出結果との加算結果を、送信電力値として出力する。送信電力値は、リセット判定部３２へ出力される。
【００３７】
また、算出部４３は、予め保持されている送信電力上限値と、出力される送信電力値とを比較し、送信電力値が送信電力上限値に到達している場合、上記した上限値到達通知を差異判定部３４へ出力する。
【００３８】
図１に戻り、送信処理部１５は、送信データを入力信号とし、符号化及び変調し、得られた送信信号をＲＦ送信部１６へ出力する。
【００３９】
ＲＦ送信部１６は、送信処理部１５から受け取る送信信号に対して受信無線処理（アップコンバート、ディジタルアナログ（Ｄ／Ａ）変換など）を施す。こうして得られた無線信号は、アンテナを介して後述の基地局５０へ送信される。
【００４０】
［基地局の構成］
図４は、実施例１の基地局の一例を示すブロック図である。図４において、基地局５０は、ＲＦ受信部５１と、受信レベル検出部５２と、受信処理部５３と、ＴＰＣ生成部５４と、送信処理部５５と、ＲＦ送信部５６とを有する。
【００４１】
ＲＦ受信部５１は、移動局１０から送信された無線信号をアンテナを介して受信し、当該無線信号に対して受信無線処理（ダウンコンバート、アナログディジタル（Ａ／Ｄ）変換など）を施す。こうして得られた受信信号は、受信レベル検出部５２へ出力される。
【００４２】
受信レベル検出部５２は、ＲＦ受信部５１から受け取る受信信号に基づいて、受信レベルを検出する。検出された受信レベルに関する情報（以下では、「受信レベル情報」と呼ばれることがある）はＴＰＣ生成部５４へ出力される。また、受信レベル検出部５２は、ＲＦ受信部５１から受け取る受信信号を受信処理部５３へ出力する。
【００４３】
受信処理部５３は、ＲＦ受信部５１で得られた受信信号を復調及び復号し、得られた受信データを後段の機能部へ出力する。
【００４４】
ＴＰＣ生成部５４は、受信レベル検出部５２で検出された受信レベルに応じたＴＰＣ値を決定し、決定されたＴＰＣ値を含むＴＰＣ信号を生成する。このＴＰＣ信号は、送信処理部５５へ出力される。
【００４５】
送信処理部５５は、ＴＰＣ信号及び送信データを入力とし、符号化及び変調し、得られた送信信号をＲＦ送信部５６へ出力する。
【００４６】
ＲＦ送信部５６は、送信処理部５５から受け取る送信信号に対して受信無線処理（アップコンバート、ディジタルアナログ（Ｄ／Ａ）変換など）を施す。こうして得られた無線信号は、アンテナを介して移動局１０へ送信される。
【００４７】
［移動局の動作］
以上の構成を有する移動局１０の動作について説明する。
【００４８】
図５は、移動局１０による送信電力制御処理を説明するためのタイミングチャートの前半部分を示す図である。図６は、移動局１０による送信電力制御処理を説明するためのタイミングチャートの後半部分を示す図である。
【００４９】
動作説明の前提として、調整前のＴＰＣ値は、図５に示すように、フレームＦ１〜Ｆ１５においては、アップを表す“＋”であり、フレームＦ１６〜Ｆ１８では、ダウンを表す“−”であるものとする。また、品質変動は、Ｆ１〜Ｆ２においては、アップを示す“＋”であり、Ｆ３〜Ｆ１４においては、ダウンを示す“−”であるものとする。また、アップ幅及びダウン幅は、例えば、２ｄＢであり、フレーム周期は、例えば１ｍｓである。また、図６に示すように、変換開始回数としては、“６”が設定され、変換対象フレームの設定数としては、“３”が設定されているものとする。
【００５０】
図５では、ｘ軸方向、つまり左右方向に時間ｔが、ｙ軸方向、つまり上下方向に送信電力値がそれぞれ規定されている。送信電力値には、移動局１０固有の上限値として「送信電力上限値」が、リセット状態が解除される電力値として「リセット電力値」が、それぞれ設定されている。
【００５１】
移動局１０の送信電力値は、フレームＦ１から時間の経過に伴って上昇し、フレームＦ６においてリセット電力値を超える。このとき、リセット判定部３２から差異判定部３４へ通知が出力され、これにより、図６に示すように差異判定対象期間がスタートする。また、アップを示すＴＰＣ値が続いているため、送信電力値は、フレームＦ８において送信電力上限値に到達する。このとき、送信電力算出部２２から上限値到達通知が出力される。これにより、差異判定部３４には、「上限フラグ」がセットされる。
【００５２】
ここで、差異判定期間の始点であるＦ６からＦ１４まで、第１変動方向がマイナスであり、且つ、第２変動方向がプラスである、第１種逆状態が連続して続いている。差異判定部３４は、種別の同じ逆状態が連続するフレームの数をカウントしている。そして、カウント値は、Ｆ１１において変換開始回数“６”に到達する。すなわち、（条件３）が満たされる。
【００５３】
そして、Ｆ１２では、（条件１）〜（条件４）のすべてが満たされるので、逆状態種別に応じた変換命令と、変換可能期間の開始通知とをＴＰＣ調整部３１及び回数制御部３５へ出力する。ここでは、変換命令として、ダウン変換命令が出力される。
【００５４】
そして、その後、変換対象フレームの設定数“３”と同じ回数だけダウン変換命令が出力される間、変換可能期間が継続する。図５及び図６では、Ｆ１２〜Ｆ１４において連続してダウン変換命令が出力されるので、変換可能期間は、Ｆ１２で開始し、Ｆ１４で終了する。
【００５５】
そして、ＴＰＣ調整部３１は、変換可能期間において差異判定部３４から受け取る、変換命令に基づいて、入力されたＴＰＣ値を調整する。図５及び図６では、Ｆ１２〜Ｆ１４において、ＴＰＣ値がアップを示し、且つ、ダウン変換命令が出力されるので、ＴＰＣ調整部３１は、アップを示すＴＰＣ値を、ダウンを示すＴＰＣ値へ変換する。この結果、Ｆ１２〜Ｆ１４では、送信電力値が、上限値から減少している。
【００５６】
以上のように本実施例によれば、移動局１０において、送信電力制御部１４が、検出された受信品質に基づいて、ＴＰＣ値を補正する。
【００５７】
こうすることで、上り回線の通信環境と通常類似する下り回線の通信環境に基づいて上りの送信電力値を調整できるので、送信電力制御の精度を向上させることができる。
【００５８】
具体的には、送信電力制御部１４は、変換条件が満たされたときに、ＴＰＣ値を補正する。そして、変換条件には、検出された受信品質の第１変動方向と、ＴＰＣ値の表す送信電力の第２変動方向とが逆である条件１が含まれる。
【００５９】
こうすることで、下り回線の通信環境から推測される上り回線の通信環境と、ＴＰＣ値から推測される上り回線の通信環境とがミスマッチするときに、ＴＰＣ値を補正できるので、送信電力制御の精度を向上させることができる。
【００６０】
また、変換条件には、変換対象フレームの１つ前のフレームにおいて、送信電力値が上限値である、条件４が含まれる。
【００６１】
こうすることで、過剰電力の削減効果が最も期待される状態において、ＴＰＣ値を補正することができる。
【００６２】
また、変換条件には、変換対象フレームにおいて第１変動方向と第２変動方向とが逆であり、且つ、変換対象フレームまでに同種の逆状態が変換開始回数以上連続するという、条件３が含まれる。
【００６３】
こうすることで、変換開始回数を適切な回数に設定することにより、行き過ぎた調整を防止することができる。
【００６４】
また、ＴＰＣの補正は、変換対象フレームの設定数と同じ回数だけ行われる。
【００６５】
こうすることで、変換対象フレームの設定数を適切に設定することにより、行き過ぎた調整を防止することができる。
【００６６】
［他の実施例］
［１］上記説明では、変換可能期間は、ＴＰＣ値が変換される回数で規定された。しかしながら、これに限定されるものではなく、変換条件を満たしたフレームから所定数のフレームのみを変換可能期間としてもよい。
【００６７】
こうすることで、変換可能期間が固定され、変換可能期間内に条件が満たされなければ、ＴＰＣ値が補正されないので、行き過ぎた調整をさらに防止することができる。
【００６８】
［２］上記説明では、ＴＰＣ値が電力値変換部４１においてｄＢ値に変換される前に、ＴＰＣ値を補正している。しかしながら、これに限定されるものはなく、ＴＰＣ値を電力値変換部４１にまず入力してｄＢ値に変換した後に、ＴＰＣ調整部３１において、変換されたｄＢ値の補正を行ってもよい。この場合、補正されたｄＢ値又は補正されないｄＢ値が、ＴＰＣ調整部３１から算出部４２へ出力される。
【００６９】
［３］上記説明では、受信品質検出部１２は、受信品質として電力を検出したが、これに限定されるものではなく、受信処理部１３での誤り率を受信品質として検出してもよい。
【００７０】
［４］上記説明における移動局１０及び基地局５０は、次のようなハードウェア構成により実現することができる。
【００７１】
図７は、移動局のハードウェア構成を示す図である。図７に示すように、移動局１０は、ハードウェア的には、ＣＰＵ（Ｃｅｎｔｒａｌ  Ｐｒｏｃｅｓｓｉｎｇ  Ｕｎｉｔ）１０ａと、メモリ１０ｂと、アンテナを有するＲＦ回路１０ｃと、ＬＣＤ（Ｌｉｑｕｉｄ  Ｃｒｙｓｔａｌ  Ｄｉｓｐｌａｙ）等の表示装置１０ｄとを有する。メモリ１０ｂは、例えば、ＳＤＲＡＭ等のＲＡＭ、ＲＯＭ、フラッシュメモリにより構成される。ＲＦ受信部１１及びＲＦ送信部１６は、ＲＦ回路１０ｃにより実現される。また、受信品質検出部１２と、受信処理部１３と、送信電力制御部１４と、送信処理部１５とは、例えばＣＰＵ１０ａ等の集積回路により実現される。
【００７２】
図８は、基地局のハードウェア構成を示す図である。図８に示すように、基地局５０は、ハードウェアの構成要素として、ＤＳＰ（Ｄｉｇｉｔａｌ  Ｓｉｇｎａｌ  Ｐｒｏｃｅｓｓｏｒ）５０ａと、メモリ５０ｂと、ＲＦ（Ｒａｄｉｏ  Ｆｒｅｑｕｅｎｃｙ）回路５０ｃと、ネットワークＩＦ（Ｉｎｔｅｒ  Ｆａｃｅ）５０ｄとを有する。ＲＦ回路５０ｃは、アンテナを有する。メモリ５０ｂは、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等のＲＡＭ、ＲＯＭ（Ｒｅａｄ  Ｏｎｌｙ  Ｍｅｍｏｒｙ)、フラッシュメモリにより構成される。受信レベル検出部５２と、受信処理部５３と、ＴＰＣ生成部５４と、送信処理部５５とは、例えばＤＳＰ５０ａ等の集積回路により実現される。ＲＦ受信部５１及びＲＦ送信部５６は、ＲＦ回路５０ｃにより実現される。
【００７３】
また、上記説明における各種の処理は、予め用意されたプログラムをコンピュータで実行することで実現できる。すなわち、受信品質検出部１２と、受信処理部１３と、送信電力制御部１４と、送信処理部１５とによって実行される各処理に対応するプログラムがメモリ１０ｂに記録され、各プログラムがＣＰＵ１０ａに読み出されてプロセスとして機能してもよい。また、受信レベル検出部５２と、受信処理部５３と、ＴＰＣ生成部５４と、送信処理部５５とによって実行される各処理に対応するプログラムがメモリ５０ｂに記録され、各プログラムがＤＳＰ５０ａに読み出されてプロセスとして機能してもよい。
【００７４】
［５］上記説明では、移動局１０及び基地局５０を例にとり説明を行った。しかしながら、これに限定されるものではなく、第１の通信装置と、第１の通信装置の送信電力を制御する制御値を含む信号を第１の通信装置へ送信する第２の通信装置とにおいても、上記実施例は成立する。
【符号の説明】
【００７５】
１０  移動局
１１，５１  ＲＦ受信部
１２  受信品質検出部
１３，５３  受信処理部
１４  送信電力制御部
１５，５５  送信処理部
１６，５６  ＲＦ送信部
２１  ＴＰＣ変換部
２２  送信電力算出部
３１  ＴＰＣ調整部
３２  リセット判定部
３３  品質変動判定部
３４  差異判定部
３５  回数制御部
４１  電力値変換部
４２，４３  算出部
５０  基地局
５２  受信レベル検出部
５４  ＴＰＣ生成部
【図１】
2014027420.tif 000003
【図２】
2014027420.tif 000004
【図３】
2014027420.tif 000005
【図４】
2014027420.tif 000006
【図５】
2014027420.tif 000007
【図６】
2014027420.tif 000008
【図７】
2014027420.tif 000009
【図８】
2014027420.tif 000010